(57)【要約】      （修正有）【課題】足の裏からの人体の重量および衝撃力を吸収でき、足部の負荷を低減でき、着用の快適性が極めて良い女性用靴の構造を提供すること。【解決手段】足踏み用表面層１の下に設けた靴底層２には窪み部２１が少なくとも一つ設けてあり、窪み部内に熱可塑性ゴム３を設けた後に、足踏み用表面層で靴底層をカバーし、窪み部は、ユーザが走行し又は立っている際に、足の裏の力が靴底層に加える箇所に位置し、且つ足の裏の足踏み用表面層と接触する部位の形状に対応して、半円形状、楕円形状または他の何れかの形状に形成してもよく、熱可塑性ゴムは、熱可塑性、強力な弾性および耐磨耗性を有し、且つリサイクル可能であり、各窪み部の形状に応じて成形してから各窪み部内に設置した後、足踏み用表面層で靴底層と熱可塑性ゴムとをカバーし、且つ熱可塑性ゴムが設置された箇所ではやや突起することを特徴とする女性用靴の構造である。【選択図】図３
0003120318.tif 000002
【実用新案登録請求の範囲】
【請求項１】
足踏み用表面層の下に設けた靴底層に窪み部を少なくとも一つ設けてあり、
前記窪み部内に熱可塑性ゴムを設けた後に、足踏み用表面層で靴底層をカバーすることを特徴とする、
女性用靴の構造。
【請求項２】
前記窪み部は、ユーザが走行し又は立っている際に、足の裏の力が靴底層に加える箇所に位置することを特徴とする、請求項１に記載の女性用靴の構造。
【請求項３】
前記窪み部は、半円形状に形成可能であることを特徴とする、請求項１に記載の女性用靴の構造。
【請求項４】
前記窪み部は、楕円形状に形成可能であることを特徴とする、請求項１に記載の女性用靴の構造。
【請求項５】
前記窪み部は、他の何れかの形状に形成可能であることを特徴とする、請求項１に記載の女性用靴の構造。
【請求項６】
前記熱可塑性ゴムは、その形状が前記窪み部に対応し、前記窪み部内に設置され、足踏み用表面層で靴底層をカバーした後、前記熱可塑性ゴムが設置された箇所ではやや突起することを特徴とする、請求項１に記載の女性用靴の構造。
【考案の詳細な説明】
【技術分野】
【０００１】
本考案は、女性用靴の構造に係り、特に、足の裏からの人体の重量および衝撃力を吸収でき、足部の負荷を低減でき、着用の快適性が極めて良い女性用靴の構造に関するものである。
【背景技術】
【０００２】
図１に示すのは従来の女性用靴であって、靴底層８２の上面にはスポンジで作製された軟性ライニング８３が設けてあり、前記軟性ライニング８３の上面に足踏み用表面層８１が設けてある。
【０００３】
このような構成によれば、スポンジで作製された軟性ライニング８３が足の裏からの人体の重量および衝撃力を吸収して足部の負荷を低減できるが、女性用靴を長期間に使用されたと、スポンジで作製された軟性ライニング８３の弾性が弱くなり、これにより、足の裏からの人体の重量および衝撃力を吸収する効果はなくなる。
【０００４】
また、図２に示すのはもう一つの従来の女性用靴であって、足踏み用表面層９１が靴底層９２の上面をカバーし、この女性用靴を着用する直前に、軟性パッド９３をユーザの足部に付けた後に女性用靴を着用し、これにより、前記軟性パッド９３は足の裏からの人体の重量および衝撃力を吸収して足部の負荷を低減することができる。
【０００５】
上記の構成によれば、軟性パッド９３は足の裏からの人体の重量および衝撃力を吸収して足部の負荷を低減することができるが、毎回の女性用靴の着用の直前に軟性パッドを付けたことが必要であり、且つ走行している際に軟性パッドがずれることがよくあった。
【考案の開示】
【考案が解決しようとする課題】
【０００６】
本考案の主な目的は、足の裏からの人体の重量および衝撃力を吸収でき、足部の負荷を低減でき、着用の快適性が極めて良い女性用靴の構造を提供する。
【課題を解決するための手段】
【０００７】
上記目的を達成するためになされた本願の第１考案は、足踏み用表面層の下に設けた靴底層に窪み部を少なくとも一つ設けてあり、前記窪み部内に熱可塑性ゴムを設けた後に、足踏み用表面層で靴底層をカバーすることを特徴とする女性用靴の構造であることを要旨としている。
【０００８】
本願の第２考案では、前記窪み部は、ユーザが走行し又は立っている際に、足の裏の力が靴底に加える箇所に位置することを特徴とする本願の第１考案に記載の女性用靴の構造であることを要旨としている。
【０００９】
本願の第３考案では、前記窪み部は、半円形状に形成可能であることを特徴とする本願の第１考案に記載の女性用靴の構造であることを要旨としている。
【００１０】
本願の第４考案では、前記窪み部は、楕円形状に形成可能であることを特徴とする本願の第１考案に記載の女性用靴の構造であることを要旨としている。
【００１１】
本願の第５考案では、前記窪み部は、他の何れかの形状に形成可能であることを特徴とする本願の第１考案に記載の女性用靴の構造であることを要旨としている。
【００１２】
本願の第６考案では、前記熱可塑性ゴムは、その形状が前記窪み部に対応し、前記窪み部内に設置され、足踏み用表面層で靴底層をカバーした後、前記熱可塑性ゴムが設置された箇所ではやや突起することを特徴とする本願の第１考案に記載の女性用靴の構造であることを要旨としている。
【考案の効果】
【００１３】
本考案に係る女性用靴の構造によれば、次のような効果がある。
（１）靴底層に開設された窪み部内に熱可塑性ゴムが設けてあり、熱可塑性ゴムは強力な弾性および耐磨耗性を有するので、足の裏からの人体の重量および衝撃力を吸収して足部の負荷を低減することができ、且つ着用の快適性が極めて良い。
【００１４】
（２）靴底層に開設された窪み部内に熱可塑性ゴムを設置した後、足踏み用表面層で熱可塑性ゴムと靴底層とをカバーするので、従来のように軟性パッドを足に付けることは必要なくなり、着用の便利性は極めて高い。
【００１５】
（３）靴底層に開設された窪み部内に熱可塑性ゴムを設置した後、足踏み用表面層で熱可塑性ゴムと靴底層とをカバーするので、着用して走行してある際に熱可塑性ゴムがずれない。
【考案を実施するための最良の形態】
【００１６】
以下、添付図面を参照して本考案の好適な実施の形態を詳細に説明する。
【実施例】
【００１７】
まず、図３乃至図５を参照する。本考案に係る女性用靴の構造は、足踏み用表面層１の下に設けた靴底層２には窪み部２１が少なくとも一つ設けてあり、前記窪み部２１内に熱可塑性ゴム３（TPR,Thermo Plastic Rubber）を設けた後に、足踏み用表面層１で靴底層２をカバーする。
【００１８】
前記窪み部２１は、ユーザが走行し又は立っている際に、足の裏の力が靴底層２に加える箇所に位置し、且つ足の裏の足踏み用表面層１と接触する部位の形状に対応し、半円形状、楕円形状または他の何れかの形状に形成してもいい。
【００１９】
前記熱可塑性ゴム３は、熱可塑性、強力な弾性および耐磨耗性を有し、且つリサイクル可能であり、各窪み部２１の形状に応じて成形してから各窪み部２１内に設置した後、足踏み用表面層１で靴底層２と熱可塑性ゴム３とをカバーし、且つ前記熱可塑性ゴムが設置された箇所ではやや突起することにより、走行時の快適性は向上になる。
【００２０】
次に、本考案に係る女性用靴の作製方法を詳細に説明する。まず、図３乃至図５を参照する。ユーザが走行し又は立っている際に足の裏の力が靴底層２に加える箇所に窪み部２１を開設し、且つ窪み部２１の形状は、足の裏の足踏み用表面層１と接触する部位の形状に対応し、半円形状、楕円形状または他の何れかの形状に開設してもよく、開設された窪み部２１内に、形状が窪み部２１に対応する熱可塑性ゴム３を設置した後、足踏み用表面層１で窪み部２１と靴底層２とをカバーし、且つ前記熱可塑性ゴムが設置された箇所ではやや突起するようになり、本考案に係る女性用靴が完成する。
【図面の簡単な説明】
【００２１】
【図１】従来の女性用靴の側面断面図である。
【図２】もう一つの従来の女性用靴の側面断面図である。
【図３】本考案に係る女性用靴の分解斜視図である。
【図４】本考案に係る女性用靴の組合状態を示す斜視図である。
【図５】本考案に係る女性用靴の側面断面図である。
【符号の説明】
【００２２】
１        足踏み用表面層            ２        靴底層
２１      窪み層                    ３        熱可塑性ゴム
８１      足踏み用表面層            ８２      靴底層
８３      軟性ライニング            ９１      足踏み用表面層
９２      靴底層                    ９３      軟性パッド
【図１】
0003120318.tif 000003
【図２】
0003120318.tif 000004
【図３】
0003120318.tif 000005
【図４】
0003120318.tif 000006
【図５】
0003120318.tif 000007